(57)【要約】【課題】通常時の維持・管理の負担を最小限に抑えつつ、複数のプラントで同時に大量水素発生事象が生じた場合でも迅速に水素処理を行い得る装置及び方法を提供する。【解決手段】第１の水素処理装置２０Ａは、炉心を内包する原子炉圧力容器３を包囲する原子炉格納容器１から雰囲気ガスを取り出す取り出し配管２３ａ（２３ｂ）及び取り出し配管に設置された隔離弁２１ａ（２１ｂ）を介して雰囲気ガスを吸引するブロア２２と、ブロアに電力を供給する非常用電源２４Ａと、導入口から導入するガスを内部に充填した水素除去処理材を通して導出口へ導く可搬容器３２を具備し、接続配管２７を介してブロアが吸引する雰囲気ガスを可搬容器へ導き、戻り配管３３及び戻り配管に設置された隔離弁３４を介して可搬容器内で水素除去された雰囲気ガスを原子炉格納容器１の内部に戻す流路を設ける。【選択図】  図１
2013246100.tif 000002
【特許請求の範囲】
【請求項１】
炉心を内包する原子炉圧力容器を包囲する原子炉格納容器から雰囲気ガスを取り出す取り出し配管およびこの取り出し配管に設置された隔離弁を介して前記雰囲気ガスを吸引するブロアと、
前記ブロアに電力を供給する電源であって、通常時に前記ブロアに電力を供給する通常電源とは別に設けられる非常用電源と、
ガスの導入口および導出口を有し、前記導入口から導入するガスを内部に充填した水素除去処理材を通して前記導出口へ導く可搬容器とを具備し、
前記ブロアと前記可搬容器とを接続する接続配管を介して前記ブロアが吸引する前記原子炉格納容器内の前記雰囲気ガスを前記可搬容器へ導き、前記可搬容器と前記原子炉格納容器とを接続する戻り配管およびこの戻り配管に設置された隔離弁を介して前記可搬容器内で水素除去された前記雰囲気ガスを前記原子炉格納容器内に戻す流路を設けたことを特徴とする水素処理装置。
【請求項２】
前記接続配管に、前記雰囲気ガスから湿分を除去する除湿器および前記雰囲気ガスからエアロゾル物質を除去するフィルターの少なくとも一方をさらに設けたことを特徴とする請求項１記載の水素処理装置。
【請求項３】
前記接続配管に、前記雰囲気ガスを加熱するヒーターをさらに設けたことを特徴とする請求項１または２記載の水素処理装置。
【請求項４】
前記戻り配管に、前記可搬容器から導出される前記雰囲気ガスを冷却する冷却器をさらに設けたことを特徴とする請求項１乃至３の何れか１項に記載の水素処理装置。
【請求項５】
Ｍを２以上の整数とする場合、前記可搬容器はＭ個であり、前記接続配管は１つの流路を前記Ｍ個の流路に分岐させる分岐配管で構成され、前記戻り配管は前記Ｍ個の流路を１つの流路に集合させる集合配管で構成されることを特徴とする請求項１乃至４の何れか１項に記載の水素処理装置。
【請求項６】
Ｋは正数であり、前記可搬容器１体あたりに収容された前記水素除去処理材による水素除去処理能力がプラントで必要とされる水素除去処理能力の１／Ｋである場合、前記分岐配管の分岐数は、前記Ｋよりも大きい最小の整数以上に設定されることを特徴とする請求項５記載の水素処理装置。
【請求項７】
前記可搬容器の寸法は、前記導入口および導出口がフランジ部を形成する場合には、このフランジ部も含めて９．０メートル×２．３メートル×２．０メートル以内であり、前記可搬容器の総重量は、前記可搬容器内の内容物も含めて１２．１トン以下であることを特徴とする請求項１乃至６の何れか１項に記載の水素処理装置。
【請求項８】
前記可搬容器は、前記接続配管および前記戻り配管と着脱自在に構成されており、通常時には前記接続配管および前記戻り配管から取り外されていることを特徴とする請求項１乃至７の何れか１項に記載の水素処理装置。
【請求項９】
炉心を内包する原子炉圧力容器を包囲する原子炉格納容器から雰囲気ガスを取り出す第１の流路と前記原子炉格納容器へガスを送り込む第２の流路とが設けられる前記原子炉格納容器の雰囲気ガス中の水素濃度を低減させる方法であり、
前記第１の流路と着脱自在に接続可能な導入口と前記第２の流路と着脱自在に接続可能な導出口とを有し、前記導入口から導入するガスを内部に充填した水素除去処理材を通して前記導出口へ導く可搬容器の前記導入口から前記原子炉格納容器から取り出した前記雰囲気ガスを内部に導き、前記可搬容器の内部で前記雰囲気ガスから水素を除去して前記原子炉格納容器に戻すことを特徴とする水素処理方法。
【請求項１０】
前記可搬容器は、通常時には、前記第１の流路および第２の流路から取り外されていることを特徴とする請求項９記載の水素処理方法。
【請求項１１】
前記可搬容器に水素除去処理材を内部に充填して構成される水素除去処理モジュールは、所定の管理場所に配備および管理されており、原子力発電プラントを１つ以上有するサイトが複数存在する場合、前記管理場所に配備および管理される前記水素除去処理モジュールの数量を、前記水素除去処理モジュールを最も必要とするサイトにおいて必要とされる前記水素除去処理モジュールの数量以上に設定することを特徴とする請求項１０記載の水素処理方法。
【発明の詳細な説明】
【技術分野】
【０００１】
本発明は、水素処理装置および水素処理方法に関する。
【背景技術】
【０００２】
一般に、沸騰水型原子力発電所における沸騰水型原子炉の原子炉格納容器には、原子炉事故に備えて可燃性ガス濃度制御装置が設置されている。沸騰水型原子炉の原子炉格納容器に設置される従来の可燃性ガス濃度制御装置について、図８を参照して説明する。
【０００３】
図８は、沸騰水型原子炉における原子炉格納容器１および沸騰水型原子炉に適用される従来の可燃性ガス濃度制御装置１０の構成を示す概略図である。
【０００４】
図８に示されるように、原子炉格納容器１は、原子炉の炉心２を内蔵する原子炉圧力容器３を格納する。原子炉格納容器１は、原子炉圧力容器３を包囲する上部ドライウェル５、下部ドライウェル６およびウェットウェル７によって構成される。ウェットウェル７は、上部ドライウェル５とベント管８を介して接続されており、貯蔵水を保有するサプレッションプール７ａが形成される。また、原子炉圧力容器３の外側面は、生体遮蔽壁９によって包囲される。
【０００５】
万一、原子炉圧力容器３に接続される主蒸気管１１等の原子炉一次冷却系配管が破断した場合、原子炉格納容器１内の上部ドライウェル５に高温・高圧の原子炉一次冷却材が放出され、上部ドライウェル５の圧力および温度が急激に上昇する。
【０００６】
上部ドライウェル５に放出された高温・高圧の冷却材は、上部ドライウェル５内の気体と混合して、ベント管８を経由してサプレッションプール７ａ内の貯蔵水の中に放出されて冷却される。このようにして、原子炉圧力容器３から放出された熱エネルギーの多くは、このサプレッションプール７ａ内の貯蔵水中において冷却され吸収される。
【０００７】
なお、原子炉圧力容器３の内部は、図示されない非常用炉心冷却系によってサプレッションプール７ａ内の貯蔵水が注入されて炉心２が冷却される。炉心２に注入された冷却水は、長期的には炉心２から崩壊熱を吸収し、破断した配管の破断口から上部ドライウェル５へ流出される。
【０００８】
上述したように、万一、原子炉一次冷却系配管が破断した場合には、上部ドライウェル５の内部における圧力と温度が、常にウェットウェル７よりも高い状態となり、ベント管８を経由してウェットウェル７内に水蒸気とガスが移動する。このとき、炉心２から放出され上部ドライウェル５の空間に存在していた核分裂生成物は、ベント管８を経由してサプレッションプール７ａ内で捕捉される。
【０００９】
原子炉一次冷却系配管が破断しない場合であっても、電源喪失等によって原子炉の冷却機能が喪失すると、原子炉圧力容器３の圧力が上昇し、主蒸気管１１に設けられた安全弁１２が作動して、原子炉圧力容器３内の水蒸気および核分裂生成物をサプレッションプール７ａ内の貯蔵水中に放出する。ウェットウェル７の圧力がドライウェル５，６の圧力よりも高くなった場合には、真空破壊弁１３が作動してウェットウェル内ガスがドライウェルに流入する。
【００１０】
このように長期的事象下では、軽水炉型原子力発電所の原子炉内では冷却材である水は放射線分解され、水素ガスと酸素ガスが発生する。さらに、炉心２の内部の燃料被覆管の温度が上昇する場合には、燃料被覆管材料のジルコニウムと水蒸気との間で反応（以下、「Ｍｅｔａｌ−Ｗａｔｅｒ反応」と称する。）が起こり、短時間で水素ガスが発生する。
【００１１】
発生した水素ガスは、破断した配管の破断口等から冷却材と共に原子炉格納容器１の内部に放出され、原子炉格納容器１の内部において水素ガスの濃度は次第に上昇する。また、水素ガスは非凝縮性であることから、原子炉格納容器１の内部圧力も上昇する。
【００１２】
水素ガスが発生する状態に対して何等有効な対策を行うことができずに、水素ガス濃度が４ｖｏｌ％かつ酸素濃度が５ｖｏｌ％以上に上昇、すなわち、可燃性ガス濃度が可燃限界を超えた場合には、気体は可燃状態となる。さらに、水素ガス濃度が上昇すると過剰な反応が発生する可能性が生じる。
【００１３】
上述した水素ガス濃度が上昇する事態への有効な対策として、従来の沸騰水型原子力発電設備の場合においては、圧力抑制式の原子炉格納容器１の内部を窒素ガスで置換して酸素濃度を低く維持する対策がとられている。上述のＭｅｔａｌ−Ｗａｔｅｒ反応によって短時間で大量に発生する水素ガスに対しても、原子炉格納容器１の内部が可燃性雰囲気となることを厳しく防止して固有の安全性を達成している。
【００１４】
また、水素ガスを除去するため、原子炉格納容器１の外部には、可燃性ガス濃度制御装置１０が設けられる。可燃性ガス濃度制御装置１０は、再結合器１４およびブロア１５を備え、原子炉格納容器１内の雰囲気を原子炉格納容器１の外部に吸引し、昇温させて雰囲気中の水素ガスと酸素ガスを再結合させて水に戻し、残りの気体を冷却してから原子炉格納容器１の内部へ戻すことによって、可燃性ガス濃度の上昇を抑制している。
【００１５】
また、上述の可燃性ガス濃度制御装置１０とは異なり外部電源、駆動部を必要とせず、静的に可燃性ガス濃度を制御する方法としては、水素の酸化触媒を用いて再結合反応を促進させる触媒式再結合装置を原子炉格納容器１の内部に複数配置する方法が提案されている。
【００１６】
しかしながら、この触媒式再結合装置は、水素と酸素を反応させることにより水素を除去する原理であるため、酸素よりも化学量論的に過剰な水素を除去することはできず、Ｍｅｔａｌ−Ｗａｔｅｒ反応によって大量の水素が発生する事象下においては、水素の除去が追いつかない場合も想定し得る。
【００１７】
上述のように沸騰水型原子炉において、運転中の原子炉格納容器内の雰囲気は窒素ガスで置換されているために、Ｍｅｔａｌ−Ｗａｔｅｒ反応で発生する水素と結合可能な酸素は原子炉格納容器１の内部では僅かしか存在していない。
【００１８】
このような低酸素雰囲気中において水素を除去するシステムとしては、ルテニウム触媒を用いて水素と窒素を反応させて処理する方法や、過酸化金属と反応させて処理する方法、水素透過材料で水素を選択的に排気する方法、水素‐酸素再結合触媒に酸素を供給する方法などが提案されている。
【００１９】
さらに、サイト内に複数のプラントが立地している場合には、プラント間で上述の水素処理対策を共有して設備の合理化を図る提案がなされている。例えば、特許第３５９６８４３号公報（特許文献１）に記載される装置は、上述の触媒式再結合装置に酸素を供給する設備を複数の隣接配置されるプラントで共有するものである。また、特開平１１−３０６９４号公報（特許文献２）に記載される装置は、水素透過材料を用いた水素処理設備の運転に必要な設備を移動可能な可搬式台車に積載したものである。
【先行技術文献】
【特許文献】
【００２０】
【特許文献１】特許第３５９６８４３号公報
【特許文献２】特開平１１−３０６９４号公報
【発明の概要】
【発明が解決しようとする課題】
【００２１】
上述したように従来の原子炉格納容器においては、原子炉一次冷却系配管が破断するような事故発生に備え、原子炉格納容器内雰囲気が可燃限界に到達するのを防止する観点から可燃性ガス濃度制御系が設けられている。
【００２２】
また、Ｍｅｔａｌ−Ｗａｔｅｒ反応によって発生する大量の水素に対して、水素透過材料を用いて選択的に除去するシステムまたは触媒を用いて水素と窒素を反応させ処理するシステムや過酸化金属と反応させて処理するシステム、触媒式再結合装置に酸素を供給するシステムが提案されている。また、大量の水素発生を伴う事象の発生頻度は低いため、サイト内に複数のプラントが立地している場合に、プラント間で上述の水素処理対策を共有して設備の合理化を図る提案（特許文献１、特許文献２）がなされている。
【００２３】
しかしながら、大量の水素発生を伴う事象の発生頻度は低いとはいえども、サイト内の複数のプラントで同時に大量の水素が発生する場合を完全に否定することはできない。もし、サイト内の複数のプラントで同時に大量の水素が発生した場合、共有の水素処理設備だけでは、水素処理の容量が不足し、迅速な対応が困難となる。
【００２４】
一方で、大量の水素を迅速に処理するためには大量の水素処理材料が必要となり、これらをサイト内の全てのプラントに対し配備しておくことは、維持および管理の手間とコストの観点から困難である。
【００２５】
本発明は、上述した課題を解決するためになされたものであり、通常時の維持および管理の負担を最小限に抑えつつ、複数のプラントで同時に大量水素発生事象が生じた場合においても迅速な水素処理を可能とする水素処理装置および水素処理方法を提供することを目的とする。
【課題を解決するための手段】
【００２６】
本発明の実施形態に係る水素処理装置は、上述した課題を解決するため、炉心を内包する原子炉圧力容器を包囲する原子炉格納容器から雰囲気ガスを取り出す取り出し配管およびこの取り出し配管に設置された隔離弁を介して前記雰囲気ガスを吸引するブロアと、前記ブロアに電力を供給する電源であって、通常時に前記ブロアに電力を供給する通常電源とは別に設けられる非常用電源と、ガスの導入口および導出口を有し、前記導入口から導入するガスを内部に充填した水素除去処理材を通して前記導出口へ導く可搬容器とを具備し、前記ブロアと前記可搬容器とを接続する接続配管を介して前記ブロアが吸引する前記原子炉格納容器内の前記雰囲気ガスを前記可搬容器へ導き、前記可搬容器と前記原子炉格納容器とを接続する戻り配管およびこの戻り配管に設置された隔離弁を介して前記可搬容器内で水素除去された前記雰囲気ガスを前記原子炉格納容器内に戻す流路を設けたことを特徴とする。
【００２７】
本発明の実施形態に係る水素処理方法は、上述した課題を解決するため、炉心を内包する原子炉圧力容器を包囲する原子炉格納容器から雰囲気ガスを取り出す第１の流路と前記原子炉格納容器へガスを送り込む第２の流路とが設けられる前記原子炉格納容器の雰囲気ガス中の水素濃度を低減させる方法であり、前記第１の流路と着脱自在に接続可能な導入口と前記第２の流路と着脱自在に接続可能な導出口とを有し、前記導入口から導入するガスを内部に充填した水素除去処理材を通して前記導出口へ導く可搬容器の前記導入口から前記原子炉格納容器から取り出した前記雰囲気ガスを内部に導き、前記可搬容器の内部で前記雰囲気ガスから水素を除去して前記原子炉格納容器に戻すことを特徴とする。
【発明の効果】
【００２８】
本発明によれば、複数のプラントで同時に大量水素発生事象が生じた場合でも迅速に水素処理を行うことができ、かつ、通常時の維持および管理の負担を最小限に抑えることができる。
【図面の簡単な説明】
【００２９】
【図１】本発明の第１の実施形態に係る水素処理装置の構成を示した概略図。
【図２】本発明の第１の実施形態に係る水素処理装置において、原子炉格納容器内の雰囲気ガスから水素を除去する流れを示した説明図。
【図３】本発明の実施形態に係る水素処理装置に適用される水素除去処理ユニットの可搬容器（第１の実施例）の外観を示した概略図であり、（Ａ）は可搬容器の正面図、（Ｂ）は可搬容器の上面図。
【図４】本発明の実施形態に係る水素処理装置に適用される水素除去処理ユニットの可搬容器（第２の実施例）の外観を示した概略図であり、（Ａ）は可搬容器の正面図、（Ｂ）は可搬容器の上面図。
【図５】本発明の実施形態に係る水素処理装置に適用される水素除去処理モジュールの配備数について説明する説明図。
【図６】本発明の第２の実施形態に係る水素処理装置の構成を示した概略図。
【図７】本発明の第２の実施形態に係る水素処理装置において、原子炉格納容器内の雰囲気ガスから水素を除去する流れを示した説明図。
【図８】沸騰水型原子炉における原子炉格納容器および沸騰水型原子炉に適用される従来の可燃性ガス濃度制御装置の構成を示す概略図。
【発明を実施するための形態】
【００３０】
以下、本発明の実施形態に係る水素処理装置および水素処理方法について、添付の図面を参照して説明する。
【００３１】
［第１の実施形態］
図１は本発明の第１の実施形態に係る水素処理装置の一例である第１の水素処理装置２０Ａの構成を示した概略図であり、図２は第１の水素処理装置２０Ａにおいて、原子炉格納容器１内の雰囲気ガスから水素を除去する流れ（フロー）を示した説明図である。なお、図２に示される水素除去のフローは、図１に示される第１の水素処理装置２０Ａを適用する場合の例である。
【００３２】
第１の水素処理装置２０Ａは、例えば、原子炉格納容器１で大量の水素が発生する事象が発生した場合等、原子炉格納容器１の内部で雰囲気ガスから水素を除去して水素濃度を低下させたい場合に使用される装置である。第１の水素処理装置２０Ａを使用するにあたっては、常時は閉止されている隔離弁２１ａまたは隔離弁２１ｂおよび隔離弁３４が開放され、原子炉格納容器１と第１の水素処理装置２０Ａとを循環する流路が確保される。そして、第１の水素処理装置２０Ａが原子炉格納容器１から吸引した雰囲気ガスから水素を除去し、除去後の雰囲気ガスを原子炉格納容器１に戻すことによって、原子炉格納容器１内部の雰囲気ガスの水素濃度を低下させる。
【００３３】
第１の水素処理装置２０Ａは、例えば、ブロア２２と、非常用電源２４Ａと、除湿器２５と、フィルター２６と、内部に水素除去処理材を収容（充填）する可搬容器３２、すなわち、水素除去処理手段を具備する。第１の水素処理装置２０Ａには、接続配管２７を介してブロア２２が吸引する原子炉格納容器１の内部の雰囲気ガスを可搬容器３２へ導き、可搬容器３２と原子炉格納容器１とを接続する戻り配管３３を介して可搬容器３２で水素除去された雰囲気ガスを、例えば、サプレッションチェンバー１６等の原子炉格納容器１の内部に戻す流路が設けられる。
【００３４】
ブロア２２は、炉心を内包する原子炉圧力容器３を包囲する原子炉格納容器１の内部から雰囲気ガスを取り出す取り出し配管２３ａ，２３ｂおよびこの取り出し配管２３ａ，２３ｂに設置された隔離弁２１ａ，２１ｂを介して雰囲気ガスを吸引する。
【００３５】
非常用電源２４Ａは、通常時にブロア２２に電力を供給する通常電源（図を省略）が停止した場合等の非常時にブロア２２に電力を供給する通常電源とは別個に設けられた電源である。ブロア２２の電力供給元となる通常電源および非常用電源２４Ａは、ブロア２２と電源切替可能に接続されており、通常電源停止時等の非常時においても通常電源から非常用電源２４Ａに切り替えることで、ブロア２２に電力を供給することができる。
【００３６】
除湿器２５は、ガスに含まれる水分を除去する機能を有し、ブロア２２から送出される雰囲気ガスに含まれる水分を除去する。フィルター２６は、ガスに含まれるエアロゾル物質を除去する機能を有し、ブロア２２から送出される雰囲気ガスに含まれるエアロゾル物質を除去する。
【００３７】
可搬容器３２は、導入口および導出口（図１において省略）を有し、例えば、円筒状または角筒状に形成された運搬可能な容器であり、内部に形成される中空部分には、例えば、水素透過材４１、水素吸着材４２等の水素を除去可能な水素除去処理材が収容（充填）される。第１の水素処理装置２０Ａでは、第１の水素処理装置２０Ａと原子炉格納容器１の内部とを連通する流路の一部を構成する接続配管２７および戻り配管３３と、可搬容器３２の導入口および導出口とが着脱自在に構成される。
【００３８】
水素除去処理材が充填された可搬容器３２は、導入口から導入するガスを内部に充填した水素除去処理材を通して導出口へ導くことで、ガスに含まれる水素を除去することができ、持ち運び可能、かつ、接続配管２７および戻り配管３３と着脱可能な水素除去処理手段として機能する。すなわち、第１の水素処理装置２０Ａの水素除去処理手段は、運搬および着脱可能なカートリッジ式の水素除去処理部（以下、「第１の水素除去処理ユニット」と称する。）３０Ａとして構成される。
【００３９】
第１の水素除去処理ユニット３０Ａは、可搬容器３２の内部に水素除去処理材として水素透過材および水素吸着材を収容する第１の水素除去処理モジュール３１Ａを少なくとも１個備える。例えば、図１に示される第１の水素処理装置２０Ａにおける第１の水素除去処理ユニット３０Ａは、５個の第１の水素除去処理モジュール３１Ａを備え、これらを並列に接続した水素除去処理手段を構成する。
【００４０】
第１の水素処理装置２０Ａでは、複数個の第１の水素除去処理モジュール３１Ａを備える場合に対応して、接続配管２７が１つの流路である主配管３５をＭ（Ｍは２以上の自然数）個の流路である枝配管３６に分岐させる分岐配管で構成され、戻り配管３３がＭ個の流路である枝配管３６を１つの流路（主配管）に集合させる集合配管で構成される。また、分岐配管および集合配管の枝配管３６には、開閉自在な開閉弁３７が取り付けられる。なお、Ｍ＝１の場合には、接続配管２７および戻り配管３３は、分岐配管および集合配管ではなく、１つの導入口に対して１つの導出口を有する通常の配管となる。
【００４１】
第１の水素処理装置２０Ａにおいて適用される第１の水素除去処理ユニット３０Ａは、第１の水素処理装置２０Ａを使用する必要のない状況（通常時）には、開閉弁３７を閉じて、可搬容器３２（第１の水素除去処理モジュール３１Ａ）を接続配管２７および戻り配管３３の枝配管３６から取り外しておくことができる。第１の水素処理装置２０Ａを使用する場合には、可搬容器３２（第１の水素除去処理モジュール３１Ａ）を取り付けた後に開閉弁３７を開いて使用される。
【００４２】
ここで、プラント１つに対して必要となる第１の水素除去処理モジュール３１Ａの個数、すなわち、枝配管３６の本数（並列数）は、第１の水素除去処理モジュール３１Ａの１個当たりの水素除去可能な量（水素除去処理能力）と、水素除去処理モジュール３１Ａを取り付けるプラントにおいて必要とされる水素除去処理能力との関係で決定する。
【００４３】
第１の水素除去処理モジュール３１Ａの水素除去処理能力が、当該プラントで必要とされる水素除去処理能力の１／Ｋ（Ｋは正数）である場合、Ｋよりも大きい最小の整数以上となる。例えば、Ｋ＝４．５であれば、Ｋよりも大きい最小の整数は５であるから、少なくとも５個の水素除去処理モジュール３１Ａが必要となる。
【００４４】
なお、分岐配管および集合配管の枝配管３６の本数であるＭについては、各枝配管３６に取り付け可能な水素除去処理モジュール３１Ａは１個であることから、プラント１つに対して必要となる水素除去処理モジュール３１Ａの個数と同様に、Ｋよりも大きい最小の整数以上の本数が少なくとも必要となる。但し、Ｍは必ずしもＫと同じ数である必要はなく、ＭはＫ以上の整数であれば任意である。
【００４５】
次に、第１の水素処理装置２０Ａが処理するガスの流れについて説明する。
【００４６】
第１の水素処理装置２０Ａを適用して、原子炉格納容器１の内部の雰囲気ガスから水素を除去する場合、まず、水素除去処理に必要な個数の第１の水素除去処理モジュール３１Ａを接続配管２７および戻り配管３３の枝配管３６に装着する。水素除去処理に必要な個数の水素除去処理モジュール３１Ａを備える第１の水素除去処理ユニット３０Ａを接続配管２７および戻り配管３３の枝配管３６に装着することで、原子炉格納容器１から隔離弁２１ａ（２１ｂ）、ブロア２２、除湿器２５、フィルター２６、第１の水素除去処理ユニット３０Ａ、隔離弁３４を通って原子炉格納容器１に戻る流路を確保する。
【００４７】
続いて、開閉弁３７、隔離弁２１ａ（または隔離弁２１ｂ）および隔離弁３４を開いて、ブロア２２を駆動することによって、確保した原子炉格納容器１から第１の水素処理装置２０Ａを通って原子炉格納容器１に戻る流路に原子炉格納容器１の内部の雰囲気ガスが循環する気流が生じる。なお、隔離弁２１ａ，２１ｂについては、開放されるのは何れか一方であるが、隔離弁２１ａを開放するか、隔離弁２１ｂを開放するかは、水素発生を伴う事象の原因等、原子炉格納容器１の内部の状況を考慮して決定される。
【００４８】
第１の水素処理装置２０Ａでは、ブロア２２の駆動によって、原子炉格納容器１と接続される取り出し配管２３ａ（または取り出し配管２３ｂ）および取り出し配管２３ａ（または取り出し配管２３ｂ）に設置された隔離弁２１ａ（または隔離弁２１ｂ）を介して、原子炉格納容器１の内部から雰囲気ガスがブロア２２に吸引される。
【００４９】
続いて、ブロア２２によって吸引された雰囲気ガスは、ブロア２２の後段（下流側）に設けられる除湿器２５およびフィルター２６に導かれる。除湿器２５およびフィルター２６は、導入された雰囲気ガスから水分およびエアロゾル物質を除去して、接続配管２７を介して接続される後段（下流側）の個々の第１の水素除去処理ユニット３０Ａに導かれる。
【００５０】
第１の水素除去処理ユニット３０Ａでは、除湿器２５およびフィルター２６を通した後の雰囲気ガスが個々の可搬容器３２に導入される。各可搬容器３２の内部は水素透過材４１および水素吸収材４２が水素除去処理材として収容（充填）されており、内部に導入された雰囲気ガスを水素透過材４１および水素吸収材４２を通して外部へ導出することで、水素透過材４１および水素吸収材４２が雰囲気ガスから水素を除去する。
【００５１】
より詳細に説明すると、可搬容器３２の内部に導入された雰囲気ガスは、水素透過材４１、水素吸収材４２の順に通過する。水素透過材４１は雰囲気ガスから水素と水素以外のガスを分離する。水素透過材４１によって水素と水素以外のガスに分離された雰囲気ガスは水素吸収材４２に導かれる。水素吸収材４２は水素のみを吸着し、水素以外のガスを通過させる。水素吸収材４２に吸収されることなく残った雰囲気ガス、すなわち、水素除去後の雰囲気ガスは、後段（下流側）に接続される戻り配管３３へ導かれる。
【００５２】
第１の水素除去処理ユニット３０Ａから導出された水素除去処理後の雰囲気ガスは、戻り配管３３および開放された隔離弁３４を介して原子炉格納容器１の内部に戻される。
【００５３】
このように、第１の水素処理装置２０Ａを適用すれば、接続配管２７（より詳細にはその枝配管３６）と着脱自在に接続可能な導入口４５から導入する雰囲気ガスを内部に充填した水素除去処理材を通して戻り配管３３（より詳細にはその枝配管３６）と着脱自在に接続可能な導出口４６へ導く可搬容器３２（第１の水素除去処理モジュール３１Ａ）の内部で雰囲気ガスから水素を除去して原子炉格納容器１へ戻すことによって、原子炉格納容器１の内部の雰囲気ガス中の水素濃度を低減させることができる。
【００５４】
図３および図４は、可搬容器３２の実施例について、その外観を示した概略図であり、図３（Ａ）および図４（Ａ）は可搬容器３２の正面図、図３（Ｂ）および図４（Ｂ）は可搬容器３２の上面図である。
【００５５】
可搬容器３２は、例えば、円筒状または角筒状（側面の形状が円または多角形）に形成された運搬可能な容器であり、ガスを容器内部に導く導入口４５と、容器内部に導かれたガスを外部へ導出する導出口４６とを有する。
【００５６】
可搬容器３２の寸法および重量は、サイトの外部から搬入する必要が生じる場合等を考慮して、トレーラー等の車両やヘリコプター等の既存の輸送手段で輸送可能な寸法および重量の範囲内とする。例えば、可搬容器３２の寸法は、図３および図４に示されるように、導入口４５および導出口４６に形成されるフランジ部分を含めて、長さ９．０メートル［ｍ］以下、高さ２．０メートル［ｍ］以下、幅２．３メートル［ｍ］以下とする。また、可搬容器３２の全重量は、内容物を含めた状態、すなわち、第１の水素除去処理モジュール３１Ａ（または後述する第２の水素除去処理モジュール３１Ｂ）の状態で、１２．１トン［ｔ］以下とする。
【００５７】
図５は、本発明の実施形態に係る水素処理装置の一例である第１の水素処理装置２０Ａに適用される第１の水素除去処理モジュール３１Ａの配備数について説明する説明図である。
【００５８】
通常時において、接続配管２７および戻り配管３３の枝配管３６から取り外されている第１の水素除去処理モジュール３１Ａは、例えば、防災センター４８等の所定の管理場所に配備され、管理される。可搬容器３２に収容する水素透過材４１および水素吸収材４２の保守および点検は、この防災センター４８にて一括して実施する。
【００５９】
防災センター４８は、例えば２つ等の複数のサイトを管轄する。防災センター４８が配備および管理する第１の水素除去処理モジュール３１Ａの数は、第１の水素除去処理モジュール３１Ａを最も必要とするサイトにおいて必要とされる数量以上に設定され、常時、使用可能な状態で保管される。
【００６０】
図５に示される例で説明すると、防災センター４８が管轄する２つのサイト（３つの原子力発電プラントを有するサイト１および２つの原子力発電プラントを有するサイト２）があり、各サイトにおける第１の水素除去処理モジュール３１Ａの必要数は、サイト１が１５個（各プラントにつき５個）であり、サイト２が８個（各プラントにつき４個）である。この場合、より多くの第１の水素除去処理モジュール３１Ａを必要とするサイト１の必要数である１５個を保管する最低限の数量として設定する。
【００６１】
上記内容をより一般化して説明すれば、防災センター４８が配備および管理する第１の水素除去処理モジュール３１Ａの最少の個数（最少配備数）は、ｉをサイト番号、Ｎをサイト数、Ｕ(i)をサイト番号ｉのサイトにおける第１の水素除去処理モジュール３１Ａの必要数とすると、次の式（１）で表される。また、ｊをプラント番号、ｎをプラント数、Ｐ(j)をプラント番号ｊのプラントにおける第１の水素除去処理モジュール３１Ａの必要数とすれば、上記Ｕ(i)は、次の式（２）で表される。
【００６２】
【数１】
2013246100.tif 000003
【００６３】
なお、図５は第１の水素処理装置２０Ａに適用される第１の水素除去処理モジュール３１Ａの配備数を具体例として示しているが、後述する第２の水素処理装置２０Ｂに適用される第２の水素除去処理モジュール３１Ｂの配備数についても同様である。
【００６４】
上述した第１の水素処理装置２０Ａおよび第１の水素処理装置２０Ａを用いた水素処理方法によれば、プラント毎に、水素透過材４１、水素吸収材４２等の水素除去処理材を保守および管理する必要がなく、サイト間で共有することができるので、保守および管理の手間とコストを削減することができる。すなわち、従来よりも保守および管理の負担を軽減することができる。
【００６５】
また、第１の水素処理装置２０Ａに適用される第１の水素除去処理モジュール３１Ａは、車両やヘリコプター等の輸送手段によって輸送できるので、大量の水素が発生する事象が生じた場合であっても、迅速に対応することができ、第１の水素除去処理モジュール３１Ａを複数配置することで所望の水素除去処理能力を有する第１の水素除去処理ユニット３０Ａを得ることができる。
【００６６】
さらに、第１の水素処理装置２０Ａおよび第１の水素処理装置２０Ａを用いた水素処理方法を適用するにあたり、原子炉格納容器１の貫通部を新たに増やすことがないので、従来と比較して原子炉格納容器１から放射性物質等が漏洩するリスクを増加させることもない。
【００６７】
なお、図１に示される第１の水素処理装置２０Ａは、除湿器２５と、フィルター２６が、ブロア２２と第１の水素除去処理ユニット３０Ａを構成する各可搬容器３２（第１の水素除去処理モジュール３１Ａ）との間に設けられている例であるが、第１の水素処理装置２０Ａでは、必ずしも除湿器２５およびフィルター２６を設ける必要はない。すなわち、除湿器２５およびフィルター２６を具備しない第１の水素処理装置２０Ａを構成することもできる。また、図１に示される第１の水素処理装置２０Ａは、除湿器２５とフィルター２６とが別々に構成されている例であるが、一体的に構成されていても良い。
【００６８】
さらに、図１に示される第１の水素処理装置２０Ａでは、５本の枝配管３６の全てに可搬容器３２を装着して使用されているが、水素処理能力が十分であれば、必ずしも全ての枝配管３６に可搬容器３２を装着して使用することを要しない。すなわち、一部の枝配管３６に可搬容器３２を装着し、残りの枝配管３６には可搬容器３２を装着せずに開閉弁３７を閉止して使用することもできる。
【００６９】
例えば、水素除去処理を行うプラントで必要とされる水素除去処理能力が１個の水素除去処理モジュール３１Ａの水素除去処理能力のＫ倍であり、このＫがＫ＝３．５である場合、４本で当該プラントにおいて必要とされる水素除去処理能力の８／７を確保することができるので、必ずしも５個の水素除去処理モジュール３１Ａを必要としない。
【００７０】
［第２の実施形態］
図６は本発明の第２の実施形態に係る水素処理装置の一例である第２の水素処理装置２０Ｂの構成を示した概略図であり、図７は第２の水素処理装置２０Ｂにおいて、原子炉格納容器内の雰囲気ガスから水素を除去する流れ（フロー）を示した説明図である。
【００７１】
第２の水素処理装置２０Ｂは、第１の水素処理装置２０Ａに対して、第１の水素除去処理ユニット３０Ａの代わりに第２の水素除去処理ユニット３０Ｂを具備する点において相違する。また、より好ましい形態として、第２の水素処理装置２０Ｂは、図６に示されるように、ヒーター５１やヒーター５１および冷却器５２をさらに具備する場合もある。第２の実施形態の説明では、第１の実施形態との相違点を中心に説明し、相違しない構成要素には同じ符号を付して説明を省略する。
【００７２】
例えば、図６に示される第２の水素処理装置２０Ｂは、ブロア２２と、非常用電源２４Ｂと、除湿器２５と、フィルター２６と、ヒーター５１と、冷却器５２と、水素除去処理手段としての第２の水素除去処理ユニット３０Ｂを具備する。非常用電源２４Ｂは、非常用電源２４Ａと同様に通常電源とは別個に設けられた電源であり、非常時にブロア２２とヒーター５１に電力を供給する。
【００７３】
第２の水素除去処理ユニット３０Ｂは、第１の水素除去処理ユニット３０Ａに対して、第１の水素除去処理モジュール３１Ａの代わりに第２の水素除去処理モジュール３１Ｂを備える。
【００７４】
第２の水素除去処理モジュール３１Ｂは、可搬容器３２に水素反応器５３を収容して構成される。水素反応器５３は、導入されたガスに含まれる水素と反応、すなわち、水素を消費することで、導入されたガスから水素を除去する機能を有する。水素反応器５３は、例えば、水素と酸素とを再結合させる触媒、過酸化金属、水素と窒素を反応させてアンモニアを生成する触媒の何れか、または、これらを組み合わせで構成される。
【００７５】
ヒーター５１は、水素反応器５３に導入する原子炉格納容器１の内部から取り出した雰囲気ガスを加熱する機器であり、水素反応器５３においてアンモニアを生成させる場合等に、可搬容器３２（第２の水素除去処理モジュール３１Ｂ）の前段（上流側）に設置される。ヒーター５１を用いて雰囲気ガスを加熱するのは、水素反応器５３での反応を促進して水素消費量をより増加させるためである。なお、ヒーター５１による加熱は、水素反応器５３の構成によっては必ずしも必要な機器ではない。
【００７６】
冷却器５２は、各可搬容器３２（第２の水素除去処理モジュール３１Ｂ）を通過した後の雰囲気ガスを冷却する機器で、水素反応器５３を収容した可搬容器３２（第２の水素除去処理モジュール３１Ｂ）の後段（下流側）に設置される。冷却器５２は、第２の水素処理装置２０Ｂにおける任意の構成要素であり、原子炉格納容器１の内部の圧力上昇を回避する観点から設置される。冷却器５２は、冷却後の雰囲気ガスを原子炉格納容器１の内部へ戻す。
【００７７】
第２の水素処理装置２０Ｂにおいて、ヒーター５１または水素反応器５３で生じた化学反応によって加熱された雰囲気ガスを加熱前またはそれ以下の温度に冷却した後に原子炉格納容器１の内部へ戻しているのは、原子炉格納容器１の内部の圧力上昇の原因となる雰囲気ガスの温度上昇の要因を排除するためである。すなわち、原子炉格納容器１の内部の圧力上昇を回避する観点からすれば、ヒーター５１または水素反応器５３で生じた化学反応によって加熱された雰囲気ガスを冷却してから原子炉格納容器１の内部へ戻す方が冷却することなく戻すより場合よりも好ましいためである。
【００７８】
第２の水素処理装置２０Ｂを適用して、原子炉格納容器１の内部の雰囲気ガスから水素を除去する場合、原子炉格納容器１の内部の雰囲気ガスは、図７に示されるように、原子炉格納容器１から隔離弁２１ａ（２１ｂ）、ブロア２２、除湿器２５、フィルター２６、ヒーター５１、第２の水素除去処理ユニット３０Ｂの水素反応器５３、冷却器５２、隔離弁３４を通って原子炉格納容器１に戻る。
【００７９】
上述した第２の水素処理装置２０Ｂおよび第２の水素処理装置２０Ｂを用いた水素処理方法によれば、第２の水素処理装置２０Ｂを適用すれば、接続配管２７（より詳細にはその枝配管３６）と着脱自在に接続可能な導入口４５から導入する雰囲気ガスを内部に充填した水素除去処理材を通して戻り配管３３（より詳細にはその枝配管３６）と着脱自在に接続可能な導出口４６へ導く可搬容器３２（第２の水素除去処理モジュール３１Ｂ）の内部で雰囲気ガスに含まれる水素を消費することによって、雰囲気ガス中の水素を除去して原子炉格納容器１へ戻すことができる。すなわち、第１の水素処理装置２０Ａおよび第１の水素処理装置２０Ａを用いた水素処理方法と同様の作用および効果を奏し、原子炉格納容器１の内部の雰囲気ガス中の水素濃度を低減させることができる。
【００８０】
なお、図６に示される第２の水素処理装置２０Ｂは、ブロア２２と、非常用電源２４Ｂと、除湿器２５と、フィルター２６と、ヒーター５１と、冷却器５２と、第２の水素除去処理ユニット３０Ｂを具備する例を説明しているが、第２の水素処理装置２０Ｂは、必ずしも、ヒーター５１と冷却器５２とを具備することを要しない。例えば、ブロア２２、非常用電源２４Ｂ、除湿器２５、フィルター２６および第２の水素除去処理ユニット３０Ｂを具備する第２の水素処理装置２０Ｂや、ブロア２２、非常用電源２４Ｂ、除湿器２５、フィルター２６、ヒーター５１および第２の水素除去処理ユニット３０Ｂを具備する第２の水素処理装置２０Ｂを構成することもできる。
【００８１】
以上、水素処理装置２０Ａ，２０Ｂおよび水素処理装置２０Ａ，２０Ｂを用いた水素処理方法によれば、プラント毎に、水素透過材４１、水素吸収材４２、水素反応器５３等の水素除去処理材を保守および管理する必要がなく、サイト間で共有することができるので、保守および管理の手間とコストを削減することができる。すなわち、従来よりも保守および管理の負担を軽減することができる。
【００８２】
また、水素処理装置２０Ａ，２０Ｂに適用される水素除去処理ユニット３０Ａ，３０Ｂは、車両やヘリコプター等の輸送手段によって輸送できるので、大量の水素が発生する事象が生じた場合であっても、迅速に対応することができ、水素除去処理ユニット３０Ａ，３０Ｂを複数配置することで所望の水素除去処理能力を得ることができる。
【００８３】
さらに、水素処理装置２０Ａ，２０Ｂおよび水素処理装置２０Ａ，２０Ｂを用いた水素処理方法を適用するにあたって、原子炉格納容器１の貫通部を新たに増やすことがないので、従来と比較して原子炉格納容器１から放射性物質等が漏洩するリスクを増加させることもない。
【００８４】
従って、上述した水素処理装置および水素処理方法によれば、複数のプラントで同時に大量水素発生事象が生じた場合でも迅速に水素処理を行うことができ、かつ、通常時の維持および管理の負担を最小限に抑えることができる。
【００８５】
なお、本発明は上記実施形態そのままに限定されるものではなく、実施段階では、上述した実施例以外にも様々な形態で実施することが可能であり、発明の要旨を逸脱しない範囲で、種々の省略、追加、置き換え、変更を行なうことができる。これら実施形態やその変形は、発明の範囲や要旨に含まれるとともに、特許請求の範囲に記載された発明とその均等の範囲に含まれる。
【符号の説明】
【００８６】
１…原子炉格納容器、２…炉心、３…原子炉圧力容器、５…上部ドライウェル、６…下部ドライウェル、７…ウェットウェル、７ａ…サプレッションプール、８…ベント管、９…生体遮蔽壁、１０…従来の可燃性ガス濃度制御装置、１１…主蒸気管、１２…安全弁、１３…真空破壊弁、１４…再結合器、１５…ブロア、１６…サプレッションチェンバー、２０Ａ…第１の水素処理装置、２０Ｂ…第２の水素処理装置、２１ａ，２１ｂ，３４…隔離弁、２２…ブロア、２３ａ，２３ｂ…取り出し配管、２４Ａ，２４Ｂ…非常用電源、２５…除湿器、２６…フィルター、２７…接続配管、２８…開閉弁、３０Ａ…第１の水素除去処理ユニット、３０Ｂ…第２の水素除去処理ユニット、３１Ａ…第１の水素除去処理モジュール、３１Ｂ…第２の水素除去処理モジュール、３２…可搬容器、３３…戻り配管、３５…主配管、３６…枝配管、３７…開閉弁、４１…水素透過材、４２…水素吸着材、４５…導入口、４６…導出口、４８…防災センター、５１…ヒーター、５２…冷却器、５３…水素反応器。
【図１】
2013246100.tif 000004
【図２】
2013246100.tif 000005
【図３】
2013246100.tif 000006
【図４】
2013246100.tif 000007
【図５】
2013246100.tif 000008
【図６】
2013246100.tif 000009
【図７】
2013246100.tif 000010
【図８】
2013246100.tif 000011